(57)【特許請求の範囲】
【請求項１】
現在のターゲット伝送ブロックを伝送するための伝送パラメータを確定することと、
前記伝送パラメータに基づいて、前記ターゲット伝送ブロックのターゲット伝送ブロックサイズＴＢＳを確定することと、
前記ターゲットＴＢＳに基づいて、前記ターゲット伝送ブロックを送信し又は受信することとを含み、
前記伝送パラメータは、ターゲット変調符号化方式ＭＣＳ、ターゲット物理リソースブロックＰＲＢ数及びＰＲＢリソースオーバーヘッドの情報を含み、
前記ＰＲＢリソースオーバーヘッドの情報は、前記ターゲット伝送ブロックのターゲットＰＲＢリソースオーバーヘッドを含み、
前記ターゲットＰＲＢリソースオーバーヘッドは、前記ターゲットＰＲＢ数を有する全てのＰＲＢにおいて前記ターゲット伝送ブロックを伝送しないリソース要素ＲＥの数、又は各ＰＲＢにおいて前記ターゲット伝送ブロックを伝送しないＲＥの平均数を含み、
前記伝送パラメータに基づいて前記ターゲット伝送ブロックのターゲットＴＢＳを確定することは、
前記ターゲットＭＣＳに対応する複数のＰＲＢ数の前記ターゲットＰＲＢ数及び第１のマッピング関係に基づいて、前記ターゲットＰＲＢ数に対応するリソースオーバーヘッドセットを確定することと、
前記リソースオーバーヘッドセット内の複数のリソースオーバーヘッドに対応する複数のＴＢＳから、前記ターゲットＰＲＢリソースオーバーヘッドに対応するＴＢＳを前記ターゲットＴＢＳとして確定することとを含み、
前記第１のマッピング関係は、前記複数のＰＲＢ数と複数のセットのリソースオーバーヘッドとの対応関係を示す
ことを特徴とするデータ伝送方法。
【請求項２】
前記伝送パラメータに基づいて前記ターゲット伝送ブロックのターゲットＴＢＳを確定することは、
前記ターゲットＭＣＳに対応する複数のＰＲＢ数の前記ターゲットＰＲＢ数及び第１のマッピング関係に基づいて、前記ターゲットＰＲＢ数に対応するリソースオーバーヘッドセットを確定することと、
前記リソースオーバーヘッドセット内の複数のリソースオーバーヘッドから、前記ターゲットＰＲＢリソースオーバーヘッド以上の少なくとも１つのリソースオーバーヘッドを確定することと、
前記少なくとも１つのリソースオーバーヘッドのうちの最小のリソースオーバーヘッドに対応するＴＢＳを前記ターゲットＴＢＳとして確定することとを含み、
前記第１のマッピング関係は、前記複数のＰＲＢ数と複数のセットのリソースオーバーヘッドとの対応関係を示す
ことを特徴とする請求項１に記載のデータ伝送方法。
【請求項３】
前記ＰＲＢリソースオーバーヘッドの情報は、前記ターゲットＰＲＢリソースオーバーヘッドの割合を含み、
前記ターゲットＰＲＢリソースオーバーヘッドの割合は、前記ターゲットＰＲＢ数を有する全てのＰＲＢにおいて前記データを伝送しないＲＥが前記全てのＰＲＢのＲＥ総数に占める割合、又は各ＰＲＢにおいて前記データを伝送しないＲＥが前記各ＰＲＢのＲＥ総数に占める平均の割合を含む
ことを特徴とする請求項１に記載のデータ伝送方法。
【請求項４】
前記伝送パラメータに基づいて前記ターゲット伝送ブロックのターゲットＴＢＳを確定することは、
前記ターゲットＰＲＢ数及び前記ターゲットＰＲＢリソースオーバーヘッドの割合に基づいて、第１のＰＲＢ数を確定することと、
前記ターゲットＭＣＳに対応する複数のＰＲＢ数のうちの前記第１のＰＲＢ数及び第２のマッピング関係に基づいて、前記第１のＰＲＢ数に対応するＴＢＳを前記ターゲットＴＢＳとして確定することとを含み、
前記第２のマッピング関係は、前記複数のＰＲＢ数と複数のＴＢＳとの対応関係を示す
ことを特徴とする請求項３に記載のデータ伝送方法。
【請求項５】
前記ターゲットＭＣＳに対応する複数のＰＲＢ数のうちの前記ターゲットＰＲＢ数及び前記ターゲットＰＲＢリソースオーバーヘッドの割合に基づいて、第１のＰＲＢ数を確定することは、
前記ターゲットＰＲＢ数及び前記ターゲットＰＲＢリソースオーバーヘッドの割合に基づいて、前記第１のＰＲＢ数を
0006979074.tif 000014
とし、
Ｎが前記ターゲットＰＲＢ数であり、Ｐが前記ターゲットＰＲＢリソースオーバーヘッドの割合であり、
0006979074.tif 000015
がフロア（Ｆｌｏｏｒ）処理である
ことを特徴とする請求項４に記載のデータ伝送方法。
【請求項６】
前記方法が端末デバイスにより実行され、前記現在のターゲット伝送ブロックを伝送するための伝送パラメータを確定する前に、前記方法は、さらに、
前記端末デバイスがネットワークデバイスにより送信された前記伝送パラメータを受信することを含む
ことを特徴とする請求項１〜５のいずれか１項に記載のデータ伝送方法。
【請求項７】
前記方法がネットワークデバイスにより実行され、前記現在のターゲット伝送ブロックを伝送するための伝送パラメータを確定した後、前記方法は、さらに、
前記ネットワークデバイスが端末デバイスに前記伝送パラメータを送信することを含む
ことを特徴とする請求項１〜５のいずれか１項に記載のデータ伝送方法。
【請求項８】
前記パラメータは、ＤＣＩシグナリング又はＲＲＣシグナリングに搬送される
ことを特徴とする請求項１〜７のいずれか１項に記載のデータ伝送方法。
【請求項９】
前記ターゲット変調符号化方式ＭＣＳは、ＭＣＳレベル又はＭＣＳインデックスを含む
ことを特徴とする請求項１〜８のいずれか１項に記載のデータ伝送方法。
【請求項１０】
現在のターゲット伝送ブロックを伝送するための伝送パラメータを確定し、伝送パラメータに基づいて、前記ターゲット伝送ブロックのターゲット伝送ブロックサイズＴＢＳを確定するように構成される確定ユニットと、
前記確定ユニットにより確定されたターゲットＴＢＳに基づいて、前記ターゲット伝送ブロックを送信し又は受信するように構成される伝送ユニットとを含み、
前記伝送パラメータは、ターゲット変調符号化方式ＭＣＳ、ターゲット物理リソースブロックＰＲＢ数及びＰＲＢリソースオーバーヘッドの情報を含む通信デバイスであって、
前記ＰＲＢリソースオーバーヘッドの情報は、前記ターゲット伝送ブロックのターゲットＰＲＢリソースオーバーヘッドを含み、
前記ターゲットＰＲＢリソースオーバーヘッドは、前記ターゲットＰＲＢ数を有する全てのＰＲＢにおいて前記ターゲット伝送ブロックを伝送しないリソース要素ＲＥの数、又は各ＰＲＢにおいて前記ターゲット伝送ブロックを伝送しないＲＥの平均数を含み、
前記確定ユニットは、
前記ターゲットＭＣＳに対応する複数のＰＲＢ数の前記ターゲットＰＲＢ数及び第１のマッピング関係に基づいて、前記ターゲットＰＲＢ数に対応するリソースオーバーヘッドセットを確定し、
前記リソースオーバーヘッドセット内の複数のリソースオーバーヘッドに対応する複数のＴＢＳから、前記ターゲットＰＲＢリソースオーバーヘッドに対応するＴＢＳを前記ターゲットＴＢＳとして確定するように構成され、
前記第１のマッピング関係は、前記複数のＰＲＢ数と複数のセットのリソースオーバーヘッドとの対応関係を示す
ことを特徴とする通信デバイス。
【請求項１１】
前記確定ユニットは、
前記ターゲットＭＣＳに対応する複数のＰＲＢ数の前記ターゲットＰＲＢ数及び第１のマッピング関係に基づいて、前記ターゲットＰＲＢ数に対応するリソースオーバーヘッドセットを確定し、
前記リソースオーバーヘッドセット内の複数のリソースオーバーヘッドから、前記ターゲットＰＲＢリソースオーバーヘッド以上の少なくとも１つのリソースオーバーヘッドを確定し、
前記少なくとも１つのリソースオーバーヘッドのうちの最小のリソースオーバーヘッドに対応するＴＢＳを前記ターゲットＴＢＳとして確定するように構成され、
前記第１のマッピング関係は、前記複数のＰＲＢ数と複数のセットのリソースオーバーヘッドとの対応関係を示す
ことを特徴とする請求項１０に記載の通信デバイス。
【請求項１２】
前記ＰＲＢリソースオーバーヘッドの情報は、前記ターゲットＰＲＢリソースオーバーヘッドの割合を含み、
前記ターゲットＰＲＢリソースオーバーヘッドの割合は、前記ターゲットＰＲＢ数を有する全てのＰＲＢにおいて前記データを伝送しないＲＥが前記全てのＰＲＢのＲＥ総数に占める割合、又は各ＰＲＢにおいて前記データを伝送しないＲＥが前記各ＰＲＢのＲＥ総数に占める平均の割合を含む
ことを特徴とする請求項１０に記載の通信デバイス。
【請求項１３】
前記確定ユニットは、
前記ターゲットＰＲＢ数及び前記ターゲットＰＲＢリソースオーバーヘッドの割合に基づいて、第１のＰＲＢ数を確定し、
前記ターゲットＭＣＳに対応する複数のＰＲＢ数のうちの前記第１のＰＲＢ数及び第２のマッピング関係に基づいて、前記第１のＰＲＢ数に対応するＴＢＳを前記ターゲットＴＢＳとして確定するように構成され、
前記第２のマッピング関係は、前記複数のＰＲＢ数と複数のＴＢＳとの対応関係を示す
ことを特徴とする請求項１２に記載の通信デバイス。
【請求項１４】
前記確定ユニットは、
前記ターゲットＰＲＢ数及び前記ターゲットＰＲＢリソースオーバーヘッドの割合に基づいて、前記第１のＰＲＢ数を(１-Ｐ)×Ｎとすると確定するように構成され、
Ｎが前記ターゲットＰＲＢ数であり、Ｐが前記ターゲットＰＲＢリソースオーバーヘッドの割合である
ことを特徴とする請求項１３に記載の通信デバイス。
【請求項１５】
前記通信デバイスが端末デバイスであり、
前記伝送ユニットは、さらに、ネットワークデバイスにより送信された前記伝送パラメータを受信するように構成される
ことを特徴とする請求項１０〜１４のいずれか１項に記載の通信デバイス。
【請求項１６】
前記通信デバイスがネットワークデバイスであり、
前記伝送ユニットは、さらに、端末デバイスに前記伝送パラメータを送信するように構成される
ことを特徴とする請求項１０〜１４のいずれか１項に記載の通信デバイス。
【請求項１７】
前記パラメータは、ＤＣＩシグナリング又はＲＲＣシグナリングに搬送される
ことを特徴とする請求項１０〜１６のいずれか１項に記載の通信デバイス。
【請求項１８】
前記ターゲット変調符号化方式ＭＣＳは、ＭＣＳレベル又はＭＣＳインデックスを含む
ことを特徴とする請求項１０〜１７のいずれか１項に記載の通信デバイス。
【発明の詳細な説明】
【技術分野】
【０００１】
本願の実施例は、無線通信分野に関し、具体的に、データ伝送方法及び通信デバイスに関する。
【背景技術】
【０００２】
ロングタームエボリューション（ＬＴＥ：Ｌｏｎｇ  Ｔｅｒｍ  Ｅｖｏｌｕｔｉｏｎ）システムにおいて、ネットワーク側は、データ伝送をスケジューリングする場合、下り制御情報（ＤＣＩ：Ｄｏｗｎｌｉｎｋ  Ｃｏｎｔｒｏｌ  Ｉｎｆｏｒｍａｔｉｏｎ）に変調符号化方式（ＭＣＳ：Ｍｏｄｕｌａｔｉｏｎ  ａｎｄ  Ｃｏｄｉｎｇ  Ｓｃｈｅｍｅ）の情報が含まれる。さらに、ネットワーク側と端末側が当該指示情報に示すＭＣＳとデータ伝送ブロックサイズ（ＴＢＳ：Ｔｒａｎｓｐｏｒｔ  Ｂｌｏｃｋ  Ｓｉｚｅ）とのマッピング関係を予め約定し、端末デバイスは、当該指示情報及び当該マッピング関係に基づいて、対応するＴＢＳを知って、当該ＴＢＳを利用してネットワークデバイスとデータ伝送する。
【０００３】
従来、ＴＢＳ、ＭＣＳ、ＰＲＢリソースとの間の対応関係は、リソースオーバーヘッド（ｏｖｅｒｈｅａｄ）が固定された場合に確定されたものであり、当該リソースオーバーヘッドは、制御チャネルが占用するリソース及びセル参照信号（ＣＲＳ：Ｃｅｌｌ−ｓｐｅｃｉｆｉｃ  Ｒｅｆｅｒｅｎｃｅ  Ｓｉｇｎａｌｓ）が占用するリソースを含む。しかしながら、５Ｇシステム、即ち新しいラジオシステム（ＮＲ：Ｎｅｗ  Ｒａｄｉｏ）において、ｏｖｅｒｈｅａｄによる要因が多く、制御チャネルが占用するリソースが異なり、ｅＭＢＢ（Ｅｎｈａｎｃｅｄ  Ｍｏｂｉｌｅ  Ｂｒｏａｄ  Ｂａｎｄ）サービスに挿入するＵＲＬＬＣ（Ｈｉｇｈ  Ｒｅｌｉａｂｌｅ  ａｎｄ  Ｌｏｗ  Ｌａｔｅｎｃｙ  Ｃｏｍｍｕｎｉｃａｔｉｏｎｓ）サービス、異なるＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）アンテナポートの数（ある端末の見えないポート数を含む）、異なるＤＭＲＳ（Ｄｅｍｏｄｕｌａｔｉｏｎ  Ｒｅｆｅｒｅｎｃｅ  Ｓｉｇｎａｌ）密度等を挙げる。以上の全ての要因により、固定されたｏｖｅｒｈｅａｄに従ってＴＢＳを決定する場合、システムの柔軟性が良くない。しかし、固定されたｏｖｅｒｈｅａｄを通らなくＴＢＳを設計する場合、基地局と端末とのＴＢＳが一致しないと、重大な結果を招く。
【発明の概要】
【０００４】
本願の実施例は、異なるリソースオーバーヘッドに基づいて、データ伝送に使用するＴＢＳの情報を確定することができるデータ伝送方法及び通信デバイスを提供する。
【０００５】
第１の形態は、データ伝送方法を提供し、現在のターゲット伝送ブロックを伝送するための伝送パラメータを確定することと、前記伝送パラメータに基づいて、前記ターゲット伝送ブロックのターゲット伝送ブロックサイズＴＢＳを確定することと、前記ターゲットＴＢＳに基づいて、前記ターゲット伝送ブロックを送信し又は受信することとを含み、前記伝送パラメータは、ターゲット変調符号化方式ＭＣＳ、ターゲット物理リソースブロックＰＲＢ数及びＰＲＢリソースオーバーヘッドの情報を含む。
【０００６】
そして、端末デバイスとネットワークデバイスとは、ＰＲＢリソースオーバーヘッドの情報に基づいて、現在のデータを伝送するためのターゲット伝送ブロックＴＢＳを確定することで、異なるリソースオーバーヘッドに基づいてデータ伝送に使用するＴＢＳの情報を確定することができ、システムの柔軟性を向上させることができる。
【０００７】
選択可能で、第１の形態の実現可能な方式において、前記ＰＲＢリソースオーバーヘッドの情報は、前記ターゲット伝送ブロックのターゲットＰＲＢリソースオーバーヘッドを含み、前記ターゲットＰＲＢリソースオーバーヘッドは、前記ターゲットＰＲＢ数を有する全てのＰＲＢにおいて前記ターゲット伝送ブロックを伝送しないリソース要素ＲＥの数、又は各ＰＲＢにおいて前記ターゲット伝送ブロックを伝送しないＲＥの平均数を含む。
【０００８】
選択可能で、第１の形態の実現可能な方式において、前記伝送パラメータに基づいて前記ターゲット伝送ブロックのターゲットＴＢＳを確定することは、前記ターゲットＭＣＳに対応する複数のＰＲＢ数の前記ターゲットＰＲＢ数及び第１のマッピング関係に基づいて、前記ターゲットＰＲＢ数に対応するリソースオーバーヘッドセットを確定することと、前記リソースオーバーヘッドセッ内の複数のリソースオーバーヘッドに対応する複数のＴＢＳから、前記ターゲットＰＲＢリソースオーバーヘッドに対応するＴＢＳを前記ターゲットＴＢＳとして確定することとを含み、前記第１のマッピング関係は、前記複数のＰＲＢ数と複数のセットのリソースオーバーヘッドとの対応関係を示す。
【０００９】
ここで、端末デバイスが確定した当該伝送パラメータには、ターゲットＭＣＳ、ターゲットＰＲＢ数及びターゲットＰＲＢリソースオーバーヘッドが含まれる。異なるＭＣＳに配置されたＰＲＢ数は、同じであっても良いし、異なっても良く、且つ、各ＭＣＳが複数のＰＲＢ数に対応する可能である。この複数のＰＲＢ数内の各ＰＲＢ数は、１セットのＰＲＢリソースオーバーヘッドに対応し、各セットのＰＲＢリソースオーバーヘッドに少なくとも１つのＰＲＢリソースオーバーヘッドが含まれ、各セットのＰＲＢリソースオーバーヘッドの少なくとも１つのＰＲＢリソースオーバーヘッドがＴＢＳに対応する。
【００１０】
選択可能で、第１の形態の実現可能な方式において、前記伝送パラメータに基づいて前記ターゲット伝送ブロックのターゲットＴＢＳを確定することは、前記ターゲットＭＣＳに対応する複数のＰＲＢ数の前記ターゲットＰＲＢ数及び第１のマッピング関係に基づいて、前記ターゲットＰＲＢ数に対応するリソースオーバーヘッドセットを確定することと、前記リソースオーバーヘッドセット内の複数のリソースオーバーヘッドから、前記ターゲットＰＲＢリソースオーバーヘッドの以上の少なくとも１つのリソースオーバーヘッドを確定することと、前記少なくとも１つのリソースオーバーヘッドのうちの最小のリソースオーバーヘッドに対応するＴＢＳを前記ターゲットＴＢＳとして確定することとを含み、前記第１のマッピング関係は、前記複数のＰＲＢ数と複数のセットのリソースオーバーヘッドとの対応関係を示す。
【００１１】
選択可能で、第１の形態の実現可能な方式において、前記ＰＲＢリソースオーバーヘッドの情報は、前記ターゲットＰＲＢリソースオーバーヘッドの割合を含み、前記ターゲットＰＲＢリソースオーバーヘッドの割合は、前記ターゲットＰＲＢ数を有する全てのＰＲＢにおいて前記データを伝送しないＲＥが前記全てのＰＲＢのＲＥ総数に占める割合、又は各ＰＲＢにおいて前記データを伝送しないＲＥが前記各ＰＲＢのＲＥ総数に占める平均の割合を含む。
【００１２】
選択可能で、第１の形態の実現可能な方式において、前記伝送パラメータに基づいて前記ターゲット伝送ブロックのターゲットＴＢＳを確定することは、前記ターゲットＰＲＢ数及び前記ターゲットＰＲＢリソースオーバーヘッドの割合に基づいて、第１のＰＲＢ数を確定することと、前記ターゲットＭＣＳに対応する複数のＰＲＢ数のうちの前記第１のＰＲＢ数及び第２のマッピング関係に基づいて、前記第１のＰＲＢ数に対応するＴＢＳを前記ターゲットＴＢＳとして確定することとを含み、前記第２のマッピング関係は、前記複数のＰＲＢ数と複数のＴＢＳとの対応関係を示す。
【００１３】
選択可能で、第１の形態の実現可能な方式において、前記ターゲットＭＣＳに対応する複数のＰＲＢ数のうちの前記ターゲットＰＲＢ数及び前記ターゲットＰＲＢリソースオーバーヘッドの割合に基づいて、第１のＰＲＢ数を確定することは、前記ターゲットＰＲＢ数及び前記ターゲットＰＲＢリソースオーバーヘッドの割合に基づいて、前記第１のＰＲＢ数を
0006979074.tif 000002
とし、Ｎが前記ターゲットＰＲＢ数であり、Ｐが前記ターゲットＰＲＢリソースオーバーヘッドの割合であり、
0006979074.tif 000003
がフロア（Ｆｌｏｏｒ）処理である。
【００１４】
選択可能で、第１の形態の実現可能な方式において、前記方法が端末デバイスにより実行され、前記現在のターゲット伝送ブロックを伝送するための伝送パラメータを確定する前に、前記方法は、さらに、前記端末デバイスがネットワークデバイスにより送信された前記伝送パラメータを受信することを含む。
【００１５】
選択可能で、第１の形態の実現可能な方式において、前記方法がネットワークデバイスにより実行され、前記現在のターゲット伝送ブロックを伝送するための伝送パラメータを確定した後、前記方法は、さらに、前記ネットワークデバイスが端末デバイスに前記伝送パラメータを送信することを含む。
【００１６】
第２の形態は、上記の第１の形態又は第１の形態の任意の選択可能な実現方式の操作を実行する通信デバイスを提供する。具体的に、当該通信デバイスは、上記の第１の形態又は第１の形態の任意の選択可能な実現方式の操作を実行するモジュルユニットを含む。
【００１７】
第３の形態は、プロセッサ、送受信機及びメモリを含む通信デバイスを提供する。ここで、当該プロセッサ、送受信機及びメモリは、内部接続通路で通信する。当該メモリは命令を記憶し、当該プロセッサは当該メモリに記憶された命令を実行する。当該プロセッサは、当該メモリに記憶された命令を実行する場合、第１の形態又は第１の形態の任意の実現可能な方式の方法を実行し、又は、第２の形態の通信デバイスを実現する。
【００１８】
第４の形態は、コンピュータ読み取り可能な記憶媒体を提供し、前記コンピュータ読み取り可能な記憶媒体には命令が記憶され、前記命令によって、通信デバイスは、上記の第１の形態又は第１の形態の任意の実現可能な方式のデータ伝送方法を実現する。
【００１９】
第５の形態は、入力インタフェース、出力インタフェース、プロセッサ及びメモリを含むシステムチップを提供し、当該プロセッサは、当該メモリに記憶された命令を実行し、当該命令が実行される場合、当該プロセッサは、上記の第１の形態又は第１の形態の任意の実現可能な方式のデータ伝送方法を実現する。
【図面の簡単な説明】
【００２０】
【図１】本願の実施例における応用シーンの模式図である。
【図２】本願の実施例におけるデータ伝送方法のフローチャートである。
【図３】本願の実施例における通信デバイスのブロック図である。
【図４】本願の実施例における通信デバイスのブロック図である。
【図５】本願の実施例におけるシステムチップのブロック図である。
【発明を実施するための形態】
【００２１】
以下、図面を参照し、本願の実施例に係る技術案を説明する。
【００２２】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時間分割複信（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ Ａｃｃｅｓｓ）通信システム、又は未来の５Ｇシステムなどに応用されることができる。
【００２３】
本発明は端末デバイスに基づいて各実施例を説明する。端末デバイスは、ユーザデバイス（ＵＥ：Ｕｓｅｒ  Ｅｑｕｉｐｍｅｎｔ）、アクセス端末、ユーザユニット、ユーザ局、移動局、移動台、リモート局、リモート端末、移動装置、ユーザ端末、端末、無線通信デバイス、ユーザエージェント又はユーザ装置であってもよい。アクセス端末は、携帯電話、移動電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）、無線通信機能を備えるハンドヘルド機器、コンピューティング装置、無線モデムに接続される他の処理デバイス、車載機器、ウェアラブル機器、未来の５Ｇネットワークの端末デバイス又は未来のＰＬＭＮ（Ｐｕｂｌｉｃ  Ｌａｎｄ  Ｍｏｂｉｌｅ  Ｎｅｔｗｏｒｋ）ネットワーク内の端末デバイス等であってもよい。
【００２４】
本発明はネットワークデバイスに基づいて各実施例を説明する。ネットワークデバイスは、端末デバイスと通信するデバイスであってもよく、ＧＳＭ又はＣＤＭＡのＢＴＳ（Ｂａｓｅ  Ｔｒａｎｓｃｅｉｖｅｒ  Ｓｔａｔｉｏｎ）、ＷＣＤＭＡシステムの基地局（ＮｏｄｅＢ）ＬＴＥシステムの進化型の基地局（ｅＮＢ又はｅＮｏｄｅＢ：Ｅｖｏｌｕｔｉｏｎａｌ  ＮｏｄｅＢ）、ＣＲＡＮ（Ｃｌｏｕｄ  Ｒａｄｉｏ  Ａｃｃｅｓｓ  Ｎｅｔｗｏｒｋ、）の無線コントローラ、中継局、アクセスポイント、車載機器、ウェアラブル機器、未来の５Ｇネットワークのネットワークデバイス、未来の進化のＰＬＭＮネットワークのネットワークデバイス等であってもよい。
【００２５】
図１は本願の実施例の応用シーンの模式図である。図１の通信システムは、ネットワークデバイス１０及び端末デバイス２０を含む。ネットワークデバイス１０は、端末デバイス２０に通信サービスを提供してコアネットワークへのアクセスを行い、端末デバイス２０は、ネットワークデバイス１０からの同期信号、ブロードキャスト信号等を検索しネットワークにアクセスして、ネットワークと通信する。図１の矢印は、端末デバイス２０とネットワークデバイス１０とのセルラリンクによって行う上り伝送／下り伝送を示す。
【００２６】
本願の実施例におけるネットワークは、ＰＬＭＮネットワーク（Ｐｕｂｌｉｃ  Ｌａｎｄ  Ｍｏｂｉｌｅ  Ｎｅｔｗｏｒｋ）、Ｄ２Ｄ（Ｄｅｖｉｃｅ  ｔｏ  Ｄｅｖｉｃｅ）ネットワーク、Ｍ２Ｍ（Ｍａｃｈｉｎｅ  ｔｏ  Ｍａｃｈｉｎｅ／Ｍａｎ）ネットワーク、又はその他のネットワークであってもよく、図１は例示的な模式図であり、ネットワークは、他の端末デバイスを含むことができ、図１に省略する。
【００２７】
図２は本願の実施例におけるデータ伝送方法２００のフローチャートである。当該方法２００は、端末デバイス又はネットワークデバイスにより実行され、本願の実施例は、当該方法が端末デバイスにより実行されることを例をとするが、これに限定しなく、当該方法がネットワークデバイスにより実行されてもよく、ネットワークデバイスは、本願の実施例に記載の方法でＴＢＳを確定することができる。図２に示すように、データ伝送のプロセスは、２１０〜２３０を含む。
【００２８】
２１０において、現在のターゲット伝送ブロックを伝送するための伝送パラメータを確定する。
【００２９】
ここで、当該伝送パラメータは、ターゲット変調符号化方式ＭＣＳ、ターゲット物理リソースブロックＰＲＢ数及びＰＲＢリソースオーバーヘッド（ｏｖｅｒｈｅａｄ）の情報を含む。
【００３０】
具体的に、端末デバイスが確定した現在データのターゲット伝送ブロックを伝送するための伝送パラメータには、ターゲットＭＣＳ及び対応するターゲットＰＲＢ数だけではなく、ＰＲＢリソースオーバーヘッドの情報も含まれる。当該ターゲットＭＣＳは、ＭＣＳレベル又はＭＣＳインデックス等のＭＣＳと固定対応関係を付ける他の情報を含み、当該ＰＲＢリソースオーバーヘッドの情報は、当該ターゲット伝送ブロックのターゲットＰＲＢリソースオーバーヘッド、又は当該ターゲットＰＲＢリソースオーバーヘッドの割合を含む。
【００３１】
ここで、当該ターゲットＰＲＢリソースオーバーヘッドは、当該ターゲットＰＲＢ数を有する全てのＰＲＢにおいて当該ターゲット伝送ブロックを伝送しないリソース要素ＲＥの数、又は各ＰＲＢにおいて当該ターゲット伝送ブロックを伝送しないＲＥの平均数を含む。
【００３２】
ここ、当該ターゲットＰＲＢリソースオーバーヘッドの割合は、当該ターゲットＰＲＢ数を有する全てのＰＲＢにおいて当該データを伝送しないＲＥが全てのＰＲＢのＲＥ総数に占める割合、各ＰＲＢにおいて当該データを伝送しないＲＥが各ＰＲＢのＲＥ総数に占める平均の割合を含む。
【００３３】
例えば、当該ターゲットＰＲＢ数がＭであり、Ｍ個のＰＲＢにおいて当該データを伝送しないＲＥの個数がＮである場合、当該ターゲットＰＲＢリソースオーバーヘッドがＮであり、当該ターゲットＰＲＢリソースオーバーヘッドの割合がＮ／Ｍである。
【００３４】
Ｍ個のＰＲＢにおいて各ＰＲＢ内のＲＥ総数がＰであり、各ＰＲＢにおいて当該データを伝送しないＲＥの個数がＱである場合、当該ターゲットＰＲＢリソースオーバーヘッドをＱとして定義され、当該ターゲットＰＲＢリソースオーバーヘッドの割合がＱ／Ｐである。
【００３５】
２２０において、当該伝送パラメータに基づいて、当該ターゲット伝送ブロックのターゲットＴＢＳを確定する。
【００３６】
具体的に、端末デバイスは、ターゲットＭＣＳレベル、ターゲットＰＲＢ数及びＰＲＢリソースオーバーヘッドの情報を確定した後、これらの伝送パラメータに基づいて、当該データを伝送するためのターゲット伝送ブロックの大きさを確定する。本願の実施例において、新しい伝送パラメータ、即ちＰＲＢリソースオーバーヘッドの情報が導入されておる。以下、当該ＰＲＢリソースオーバーヘッドの情報に基づいて、端末デバイスがどのように伝送パラメータに基づいてターゲット伝送ブロックサイズＴＢＳを確定するかを説明する。
【００３７】
ケース１
当該ＰＲＢリソースオーバーヘッドの情報は、当該ターゲット伝送ブロックのターゲットＰＲＢリソースオーバーヘッドを含む。
【００３８】
端末デバイスが取得した伝送パラメータにはターゲットＰＲＢリソースオーバーヘッドが含まれる場合、端末デバイスは、以下の２つの方式でターゲット伝送ブロックのターゲットＴＢＳを確定することができる。
【００３９】
方式１
端末デバイスが当該伝送パラメータに基づいて当該ターゲット伝送ブロックのターゲットＴＢＳを確定することは、端末デバイスがターゲットＭＣＳレベルに対応する複数のＰＲＢ数内の当該ターゲットＰＲＢ数及び第１のマッピング関係に基づいて、当該ターゲットＰＲＢ数に対応するリソースオーバーヘッドセットを確定し、当該第１のマッピング関係は、当該複数のＰＲＢ数と複数のセットのリソースオーバーヘッドとの対応関係を示し、端末デバイスは、当該リソースオーバーヘッドセット内の複数のリソースオーバーヘッドに対応する複数のＴＢＳから、当該ターゲットＰＲＢリソースオーバーヘッドに対応するＴＢＳを当該ターゲットＴＢＳとして確定する。
【００４０】
具体的に、端末デバイス確定した当該伝送パラメータには、ターゲットＭＣＳ、ターゲットＰＲＢ数及びターゲットＰＲＢリソースオーバーヘッドが含まれる。異なるＭＣＳに配置されるＰＲＢ数は、同じ又は異なり、且つ各ＭＣＳが複数のＰＲＢ数に対応することができる。この複数のＰＲＢ数内の各ＰＲＢ数が１セットのＰＲＢリソースオーバーヘッドに対応し、各セットのＰＲＢリソースオーバーヘッドには少なくとも１つのＰＲＢリソースオーバーヘッドが含まれ、且つ各セットのＰＲＢリソースオーバーヘッド内の少なくとも１つのＰＲＢリソースオーバーヘッドがＴＢＳに対応する。端末デバイスは、ターゲットＭＣＳ、ターゲットＰＲＢ数、ターゲットＰＲＢリソースオーバーヘッド等のこれらの伝送パラメータとＴＢＳとの対応関係に基づいて、ターゲットＴＢＳを確定することができる。
【表１】
0006979074.tif 000004
【００４１】
例えば、表１はＭＣＳインデックスとＰＲＢ数とＰＲＢリソースオーバーヘッドとＴＢＳとのマッピング関係を示す。ここで、１つのＭＣＳは、複数のＰＲＢ数、例えばＮ１＝１、Ｎ２＝２、……、Ｎｋ＝１００に対応し、割り当てるＰＲＢ個数が１つのＰＲＢ、２つのＰＲＢ、……、１００つのＰＲＢであることをそれぞれ示す。ここで、各ＰＲＢ数が１セットのリソースオーバーヘッドに対応し、各セットのリソースオーバーヘッドには少なくとも１つのリソースオーバーヘッド例えばＯＨ１、ＯＨ２、……ＯＨnが含まれ、且つ各セットのリソースオーバーヘッド内の少なくとも１つのリソースオーバーヘッドが少なくとも１つのＴＢＳに対応する。異なるＰＲＢ数に対応するリソースオーバーヘッドセット内のリソースオーバーヘッドは、同じであっても良いし、異なっても良い。表１において、異なるＭＣＳに割り当てるＰＲＢ数は、異なり、異なるＰＲＢ数に対応するリソースオーバーヘッドは異なっても良い。
【００４２】
例えば、端末デバイスが確定した伝送パラメータ内のターゲットＭＣＳがＭＣＳ１であり、ターゲットＰＲＢ数がＮ２であり、ターゲットＰＲＢリソースオーバーヘッドがＯＨ２である。端末デバイスは、まず、ＭＣＳ１に対応する複数のＰＲＢ数からターゲットＰＲＢ数のＮ２を検索し、次に、Ｎ２に対応する１セットのリソースオーバーヘッド（即ちＯＨ１、ＯＨ２、……ＯＨn）からターゲットＰＲＢリソースオーバーヘッドＯＨ２を見つけ、最後、ＯＨ２に対応するＴＢＳ２をターゲットＴＢＳとして確定する。
【００４３】
方式２
端末デバイスが当該伝送パラメータに基づいて当該ターゲット伝送ブロックのターゲットＴＢＳを確定することは、端末デバイスが当該ターゲットＭＣＳに対応する複数のＰＲＢ数内の当該ターゲットＰＲＢ数及び第１のマッピング関係に基づいて、当該ターゲットＰＲＢ数に対応するリソースオーバーヘッドセットを確定し、当該第１のマッピング関係は、複数のＰＲＢ数と複数のセットのリソースオーバーヘッドとの対応関係を示し、端末デバイスが当該リソースオーバーヘッドセット内の複数のリソースオーバーヘッドから、当該ターゲットＰＲＢリソースオーバーヘッドの以上の少なくとも１つのリソースオーバーヘッドを確定し、当該少なくとも１つのリソースオーバーヘッドのうちの最小のリソースオーバーヘッドに対応するＴＢＳを当該ターゲットＴＢＳとして確定する。
【００４４】
具体的に、端末デバイスが確定した当該伝送パラメータには、ターゲットＭＣＳ、ターゲットＰＲＢ数及びターゲットＰＲＢリソースオーバーヘッドが含まれる。１つのケースとして、端末デバイスは、ターゲットＰＲＢ数に対応するリソースオーバーヘッドセット内の少なくとも１つのリソースオーバーヘッドから、ターゲットＰＲＢリソースオーバーヘッドを見つけない場合、方式２でターゲットＴＢＳを確定する。例えば、端末デバイスは、当該リソースオーバーヘッドセット内の複数のリソースオーバーヘッドから、当該ターゲットＰＲＢリソースオーバーヘッドの以上の少なくとも１つのリソースオーバーヘッドを確定し、さらに、当該少なくとも１つのリソースオーバーヘッドのうちの最小のリソースオーバーヘッドに対応するＴＢＳを当該ターゲットＴＢＳとして確定する。
【００４５】
例えば、表２は、ＭＣＳインデックスとＰＲＢ数とＰＲＢリソースオーバーヘッドとＴＢＳとのマッピング関係を示す。表２に示すＭＣＳインデックスがＭＣＳ１５であり、ＭＣＳ１５は、複数のＰＲＢ数、例えば如Ｎ１＝１０、・・・・・・、Ｎｋ＝２０に対応する。ここで、各ＰＲＢ数が１セットのリソースオーバーヘッドに対応し、且つ、複数のセットのリソースオーバーヘッド内の少なくとも１つのリソースオーバーヘッドは、一部に異なっても良い。例えば、ＰＲＢ数がＮ１＝１０である場合、対応するリソースオーバーヘッドセットには３つのリソースオーバーヘッド６、１２、１８が含まれ、ＰＲＢ数がＮ２＝２０である場合、対応するリソースオーバーヘッドセットには３つのリソースオーバーヘッド６、９、１２が含まれる。ここで、複数のセットのリソースオーバーヘッドは、複数のリソースオーバーヘッドセットである。
【表２】
0006979074.tif 000005
【００４６】
例えば、端末デバイスが取得した伝送パラメータ内のターゲットＭＣＳのインデックスが１５であり、ターゲットＰＲＢ数がＮ１＝１０であり、ターゲットＰＲＢリソースオーバーヘッドが８である。端末デバイスは、まず、ＭＣＳインデックスの１５に対応する複数のＰＲＢ数から、ターゲットＰＲＢ数のＮ１＝１０を検索し、次に、Ｎ１＝１０に対応する１セットのリソースオーバーヘッド（即ち、ＯＨ１、ＯＨ２及びＯＨ３）から、当該ターゲットＰＲＢリソースオーバーヘッド８よりも大きいリソースオーバーヘッドを検索し、即ちＯＨ２＝１２和ＯＨ３＝１８を見つけ、最後、ＯＨ２＝１２及びＯＨ３＝１８から最小のリソースオーバーヘッドをＯＨ２＝１２として確定し、以上のように、端末デバイスは、リソースオーバーヘッドとＴＢＳとの対応関係に基づいて、ＯＨ２＝１２に対応するＴＢＳ２をターゲットＴＢＳとして確定する。
【００４７】
また、例えば、端末デバイスが取得する伝送パラメータ内のターゲットＭＣＳのインデックスが１５であり、ターゲットＰＲＢ数がＮ２＝２０であり、ターゲットＰＲＢリソースオーバーヘッドが８である。端末デバイスは、Ｎ２＝２０に対応する１セットのリソースオーバーヘッド（即ちＯＨ４、ＯＨ５及びＯＨ６）から当該ターゲットＰＲＢリソースオーバーヘッド８よりも大きいリソースオーバーヘッド、即ちＯＨ５＝９及びＯＨ６＝１２を見つけ、最後、ＯＨ５＝９及びＯＨ６＝１２から最小のリソースオーバーヘッドをＯＨ５＝９として確定し、以上のように、端末デバイスは、リソースオーバーヘッドとＴＢＳとの対応関係に基づいて、ＯＨ５＝９に対応するＴＢＳ２をターゲットＴＢＳとして確定する。
【００４８】
なお、端末デバイスは、当該リソースオーバーヘッドセット内の複数のリソースオーバーヘッドから、当該ターゲットＰＲＢリソースオーバーヘッドの以下の少なくとも１つのリソースオーバーヘッドを確定し、当該少なくとも１つのリソースオーバーヘッドのうちの最大のリソースオーバーヘッドに対応するＴＢＳを当該ターゲットＴＢＳとして確定しても良い。本願の実施例はこれを限定しない。
【００４９】
ケース２
当該ＰＲＢリソースオーバーヘッドの情報は、当該ターゲット伝送ブロックのターゲットＰＲＢリソースオーバーヘッドの割合を含む。
【００５０】
選択可能で、端末デバイスが当該伝送パラメータに基づいて当該ターゲット伝送ブロックのターゲットＴＢＳを確定することは、端末デバイスは、当該ターゲットＰＲＢ数及び当該ターゲットＰＲＢリソースオーバーヘッドの割合に基づいて、第１のＰＲＢ数を確定し、当該ターゲットＭＣＳに対応する複数のＰＲＢ数内の当該第１のＰＲＢ数及び第２のマッピング関係に基づいて、当該第１のＰＲＢ数に対応するＴＢＳをターゲットＴＢＳとして確定することを含み、当該第２のマッピング関係は、当該複数のＰＲＢ数と複数のＴＢＳとの対応関係を示す。
【００５１】
ＬＴＥシステムにおいて、システム帯域幅が最大１００個のＰＲＢであるため、ＭＣＳとＰＲＢ数とＴＢＳとのマッピング関係について、１つのＭＣＳに最大１００個のＰＲＢがある。５Ｇシステムにおいて、システム帯域幅がＬＴＥシステムより大幅に広くなり、例えば、２００Ｍ帯域幅（１０００個のＰＲＢに対応する）であり、この場合、従来の方式でマッピング関係表、例えば、表３を構成すると、非常に大きいオーバーヘッドを引き起こす。
【００５２】
端末デバイスが確定した伝送パラメータにターゲットＰＲＢリソースオーバーヘッドの割合が含まれる場合、端末デバイスは、ターゲットＰＲＢ数及び当該ターゲットＰＲＢリソースオーバーヘッドの割合に基づいて、第１のＰＲＢ数を確定し、当該ターゲットＭＣＳに対応する複数のＰＲＢ数から当該第１のＰＲＢ数を検索し、当該第１のＰＲＢ数及び当該複数のＰＲＢ数と複数のＴＢＳとの対応関係に基づいて、当該第１のＰＲＢ数に対応するＴＢＳをターゲットＴＢＳとして確定する。
【表３】
0006979074.tif 000006
【００５３】
選択可能で、端末デバイスは、所定のルールに基づいて当該第１のＰＲＢ数を確定し、例えば、第１のＰＲＢ数を
0006979074.tif 000007
とし、ここで、Ｍが第１のＰＲＢ数であり、ＮがターゲットＰＲＢ数であり、ＰがターゲットＰＲＢリソースオーバーヘッドの割合であり、
0006979074.tif 000008
がフロア（Ｆｌｏｏｒ）処理である。
【００５４】
表３に示すマッピング関係を例とし、端末デバイスが確定した当該伝送パラメータには、ターゲットＭＣＳ、ターゲットＰＲＢ数及びターゲットＰＲＢリソースオーバーヘッドが含まれる。当該伝送パラメータ内のターゲットＭＣＳのインデックスが２５であり、ターゲットＰＲＢ数が９０であり、ターゲットＰＲＢリソースオーバーヘッドの割合が８％である。この場合、端末デバイスは、ターゲットＰＲＢ数及びターゲットＰＲＢリソースオーバーヘッドに基づいて、第１のＰＲＢ数を
0006979074.tif 000009
として確定し、ＭＣＳインデックスの２５に対応するＰＲＢ数からＰＲＢ数の８２を見つけ、ＰＲＢ数の８２に対応するＴＢＳをターゲットＴＢＳとして確定する。
【００５５】
この実施例において、従来のマッピング関係表を変更する必要がなく、異なるＰＲＢリソースオーバーヘッドに基づいてＴＢＳを確定することができる。
【００５６】
２３０において、当該ターゲットＴＢＳにおいて、当該ターゲット伝送ブロック送信または受信する。
【００５７】
具体的に、端末デバイスは、現在のターゲット伝送ブロックを伝送するためのターゲットＴＢＳを確定した後、当該ターゲットＴＢＳに基づいて、対応するサイズのターゲット伝送ブロックを生成しネットワークデバイスに当該ターゲット伝送ブロックを送信し、または、当該ターゲットＴＢＳに基づいて、ネットワークデバイスからの当該ターゲット伝送ブロックを受信する。
【００５８】
上記の方法２００は、ネットワークデバイスにより実行されても良い。即ち、ネットワークデバイスが現在のターゲット伝送ブロックを伝送するための伝送パラメータを確定し、当該伝送パラメータは、ターゲットＭＣＳ、ターゲットＰＲＢ数及びＰＲＢリソースオーバーヘッドの情報を含み、ネットワークデバイスは、当該伝送パラメータに基づいて、当該ターゲット伝送ブロックのＴＢＳを確定し、ネットワークデバイスは、当該ターゲットＴＢＳに基づいて、端末デバイスに当該ターゲット伝送ブロックを送信し、又は、端末デバイスからの当該ターゲット伝送ブロックを受信する。なお、ネットワークデバイスが現在のデータの伝送ブロックを伝送するためのＴＢＳを確定することは、上記の端末デバイスのＴＢＳの確定プロセスを参照し、簡潔のため、説明を省略する。
【００５９】
選択可能で、当該方法が端末デバイスにより実行され、端末デバイスが現在のターゲット伝送ブロックを伝送するための伝送パラメータを確定する前に、当該方法は、さらに、端末デバイスがネットワークデバイスからの当該伝送パラメータを受信することを含む。
【００６０】
選択可能で、当該方法がネットワークデバイスにより実行され、現在のターゲット伝送ブロックを伝送するための伝送パラメータを確定した後、当該方法は、さらに、ネットワークデバイスが端末デバイスに当該伝送パラメータを送信することを含む。
【００６１】
ここで、ネットワークデバイスは、物理シグナリングで当該伝送パラメータを送信し、例えば、下り制御情報（ＤＣＩ：Ｄｏｗｅｎｌｏａｄ  Ｃｏｎｔｒｏｌ  Ｉｎｆｏｒｍａｔｉｏｎ）に含まれる当該伝送パラメータを端末デバイスに送信する。しかし、リソースオーバーヘッド（ｏｖｅｒｈｅａｄ）がシステムにより引き起こしたもの、例えば、チャネル状態指示参照信号（ＣＳＩ−ＲＳ：Ｃｈａｎｎｅｌ  Ｓｔａｔｅ  Ｉｎｄｉｃａｔｉｏｎ−Ｒｅｆｅｒｅｎｃｅ  Ｓｉｇｎａｌｓ）及び制御チャネル等により引き起こしたものである可能性があるため、リソースオーバーヘッドの値の変化は高速でない。そして、ネットワークデバイスは、高レイヤシグナリング、例えば無線リソース制御（ＲＲＣ：Ｒａｄｉｏ  Ｒｅｓｏｕｒｃｅ  Ｃｏｎｔｒｏ）シグナリングで端末デバイスに当該ターゲットリソースオーバーヘッドを通知しても良い。
【００６２】
本願の実施例において、端末デバイスとネットワークデバイスとは、ＰＲＢリソースオーバーヘッドの情報に基づいて、現在のデータを伝送するためのターゲット伝送ブロックＴＢＳを確定し、異なるリソースオーバーヘッドに基づいてデータ伝送に使用するＴＢＳの情報を確定し、システムの柔軟性を向上させることができる。
【００６３】
図３は本願の実施例における通信デバイス３００のブロック図である。当該通信デバイス３００が端末デバイス又はネットワークデバイスであり、図３に示すように、当該通信デバイス３００は、確定ユニット３１０及び伝送ユニット３２０を含む。
【００６４】
当該確定ユニット３１０は、現在のターゲット伝送ブロックを伝送するための伝送パラメータを確定するように構成され、前記伝送パラメータは、ターゲット変調符号化方式ＭＣＳ、ターゲット物理リソースブロックＰＲＢ数及びＰＲＢリソースオーバーヘッドの情報を含む。
【００６５】
当該確定ユニット３１０は、前記伝送パラメータに基づいて、前記ターゲット伝送ブロックのターゲット伝送ブロックサイズＴＢＳを確定するように構成される。
【００６６】
当該伝送ユニット３２０は、確定ユニット３１０が確定したターゲットＴＢＳに基づいて、前記ターゲット伝送ブロックを送信又は受信するように構成される。
【００６７】
そして、端末デバイスとネットワークデバイスとは、ＰＲＢリソースオーバーヘッドの情報に基づいて現在のデータを伝送するためのターゲット伝送ブロックＴＢＳを確定し、異なるリソースオーバーヘッドに基づいてデータ伝送に使用するＴＢＳの情報を確定することができ、システムの柔軟性を向上させることができる。
【００６８】
選択可能で、前記ＰＲＢリソースオーバーヘッドの情報は、前記ターゲット伝送ブロックのターゲットＰＲＢリソースオーバーヘッドを含み、ここで、前記ターゲットＰＲＢリソースオーバーヘッドは、前記ターゲットＰＲＢ数を有する全てのＰＲＢにおいて前記ターゲット伝送ブロックを伝送しないリソース要素ＲＥの数、又は各ＰＲＢにおいて前記ターゲット伝送ブロックを伝送しないＲＥの平均数を含む。
【００６９】
選択可能で、確定ユニット３１０は、前記ターゲットＭＣＳに対応する複数のＰＲＢ数の前記ターゲットＰＲＢ数及び第１のマッピング関係に基づいて、前記ターゲットＰＲＢ数に対応するリソースオーバーヘッドセットを確定し、前記第１のマッピング関係は、前記複数のＰＲＢ数と複数のセットのリソースオーバーヘッドとの対応関係を示し、前記リソースオーバーヘッドセッ内の複数のリソースオーバーヘッドに対応する複数のＴＢＳから、前記ターゲットＰＲＢリソースオーバーヘッドに対応するＴＢＳを前記ターゲットＴＢＳとして確定するように構成される。
【００７０】
選択可能で、確定ユニット３１０は、前記ターゲットＭＣＳに対応する複数のＰＲＢ数の前記ターゲットＰＲＢ数及び第１のマッピング関係に基づいて、前記ターゲットＰＲＢ数に対応するリソースオーバーヘッドセットを確定し、前記第１のマッピング関係は、前記複数のＰＲＢ数と複数のセットのリソースオーバーヘッドとの対応関係を示し、前記リソースオーバーヘッドセット内の複数のリソースオーバーヘッドから、前記ターゲットＰＲＢリソースオーバーヘッドの以上の少なくとも１つのリソースオーバーヘッドを確定し、前記少なくとも１つのリソースオーバーヘッドのうちの最小のリソースオーバーヘッドに対応するＴＢＳを前記ターゲットＴＢＳとして確定するように構成される。
【００７１】
選択可能で、前記ＰＲＢリソースオーバーヘッドの情報は、前記ターゲットＰＲＢリソースオーバーヘッドの割合を含み、ここで、前記ターゲットＰＲＢリソースオーバーヘッドの割合は、前記ターゲットＰＲＢ数を有する全てのＰＲＢにおいて前記データを伝送しないＲＥが前記全てのＰＲＢのＲＥ総数に占める割合、又は各ＰＲＢにおいて前記データを伝送しないＲＥが前記各ＰＲＢのＲＥ総数に占める平均の割合を含む。
【００７２】
選択可能で、確定ユニット３１０は、前記ターゲットＰＲＢ数及び前記ターゲットＰＲＢリソースオーバーヘッドの割合に基づいて、第１のＰＲＢ数を確定し、前記ターゲットＭＣＳに対応する複数のＰＲＢ数のうちの前記第１のＰＲＢ数及び第２のマッピング関係に基づいて、前記第１のＰＲＢ数に対応するＴＢＳを前記ターゲットＴＢＳとして確定するように構成され、前記第２のマッピング関係は、前記複数のＰＲＢ数と複数のＴＢＳとの対応関係を示す。
【００７３】
選択可能で、確定ユニット３１０は、前記ターゲットＰＲＢ数及び前記ターゲットＰＲＢリソースオーバーヘッドの割合に基づいて、前記第１のＰＲＢ数を
0006979074.tif 000010
とし、ここで、Ｎが前記ターゲットＰＲＢ数であり、Ｐが前記ターゲットＰＲＢリソースオーバーヘッドの割合であり、
0006979074.tif 000011
がフロア（Ｆｌｏｏｒ）処理である。
【００７４】
選択可能で、前記通信デバイスが端末デバイスであり、伝送ユニット３２０は、さらに、ネットワークデバイスからの前記伝送パラメータを受信するように構成される。
【００７５】
選択可能で、前記通信デバイスがネットワークデバイスであり、伝送ユニット３２０は、さらに、端末デバイスに前記伝送パラメータを送信するように構成される。
【００７６】
なお、当該通信デバイス３００は、方法の実施例の端末デバイス又はネットワークデバイスに対応し、当該端末デバイス又はネットワークデバイスの機能を実行し、簡潔のため、ここで説明を省略する。
【００７７】
図４は本願の実施例における通信デバイス４００の構成図である。当該通信デバイスは、端末デバイス又はネットワークデバイスである。図４に示すように、当該通信デバイスは、プロセッサ４１０、送受信機４２０及びメモリ４３０を含み、ここで、当該プロセッサ４１０、送受信機４２０及びメモリ４３０は、内部接続通路で通信する。当該メモリ４３０は、命令を記憶し、当該プロセッサ４１０は、当該メモリ４３０に記憶された命令を実行して、当該送受信機４２０の信号の送受信を制御する。
【００７８】
ここで、当該プロセッサ４１０は、現在のターゲット伝送ブロックを伝送するための伝送パラメータを確定し、前記伝送パラメータに基づいて、前記ターゲット伝送ブロックのターゲット伝送ブロックサイズＴＢＳを確定するように構成され、前記伝送パラメータは、ターゲット変調符号化方式ＭＣＳ、ターゲット物理リソースブロックＰＲＢ数及びＰＲＢリソースオーバーヘッドの情報を含む。
【００７９】
当該送受信機４２０は、プロセッサ４１０が確定した前記ターゲットＴＢＳに基づいて、第２のデバイスに前記ターゲット伝送ブロックを送信し、又は前記第２のデバイスが前記ターゲットＴＢＳに基づいて送信した前記ターゲット伝送ブロックを受信するように構成される。
【００８０】
そして、端末デバイスとネットワークデバイスとは、ＰＲＢリソースオーバーヘッドの情報に基づいて現在のデータを伝送するためのターゲット伝送ブロックＴＢＳを確定し、異なるリソースオーバーヘッドに基づいてデータ伝送に使用するＴＢＳの情報を確定することができ、システムの柔軟性を向上させることができる。
【００８１】
選択可能で、前記ＰＲＢリソースオーバーヘッドの情報は、前記ターゲット伝送ブロックのターゲットＰＲＢリソースオーバーヘッドを含み、ここで、前記ターゲットＰＲＢリソースオーバーヘッドは、前記ターゲットＰＲＢ数を有する全てのＰＲＢにおいて前記ターゲット伝送ブロックを伝送しないリソース要素ＲＥの数、又は各ＰＲＢにおいて前記ターゲット伝送ブロックを伝送しないＲＥの平均数を含む。
【００８２】
選択可能で、プロセッサ４１０は、前記ターゲットＭＣＳに対応する複数のＰＲＢ数の前記ターゲットＰＲＢ数及び第１のマッピング関係に基づいて、前記ターゲットＰＲＢ数に対応するリソースオーバーヘッドセットを確定し、前記第１のマッピング関係は、前記複数のＰＲＢ数と複数のセットのリソースオーバーヘッドとの対応関係を示し、前記リソースオーバーヘッドセッ内の複数のリソースオーバーヘッドに対応する複数のＴＢＳから、前記ターゲットＰＲＢリソースオーバーヘッドに対応するＴＢＳを前記ターゲットＴＢＳとして確定するように構成される。
【００８３】
選択可能で、プロセッサ４１０は、前記ターゲットＭＣＳに対応する複数のＰＲＢ数の前記ターゲットＰＲＢ数及び第１のマッピング関係に基づいて、前記ターゲットＰＲＢ数に対応するリソースオーバーヘッドセットを確定し、前記第１のマッピング関係は、前記複数のＰＲＢ数と複数のセットのリソースオーバーヘッドとの対応関係を示し、前記リソースオーバーヘッドセット内の複数のリソースオーバーヘッドから、前記ターゲットＰＲＢリソースオーバーヘッドの以上の少なくとも１つのリソースオーバーヘッドを確定し、前記少なくとも１つのリソースオーバーヘッドのうちの最小のリソースオーバーヘッドに対応するＴＢＳを前記ターゲットＴＢＳとして確定するように構成される。
【００８４】
選択可能で、前記ＰＲＢリソースオーバーヘッドの情報は、前記ターゲットＰＲＢリソースオーバーヘッドの割合を含み、ここで、前記ターゲットＰＲＢリソースオーバーヘッドの割合は、前記ターゲットＰＲＢ数を有する全てのＰＲＢにおいて前記データを伝送しないＲＥが前記全てのＰＲＢのＲＥ総数に占める割合、又は各ＰＲＢにおいて前記データを伝送しないＲＥが前記各ＰＲＢのＲＥ総数に占める平均の割合を含む。
【００８５】
選択可能で、プロセッサ４１０は、前記ターゲットＰＲＢ数及び前記ターゲットＰＲＢリソースオーバーヘッドの割合に基づいて、第１のＰＲＢ数を確定し、前記ターゲットＭＣＳに対応する複数のＰＲＢ数のうちの前記第１のＰＲＢ数及び第２のマッピング関係に基づいて、前記第１のＰＲＢ数に対応するＴＢＳを前記ターゲットＴＢＳとして確定するように構成され、前記第２のマッピング関係は、前記複数のＰＲＢ数と複数のＴＢＳとの対応関係を示す。
【００８６】
選択可能で、プロセッサ４１０は、前記ターゲットＰＲＢ数及び前記ターゲットＰＲＢリソースオーバーヘッドの割合に基づいて、前記第１のＰＲＢ数を
0006979074.tif 000012
とし、ここで、Ｎが前記ターゲットＰＲＢ数であり、Ｐが前記ターゲットＰＲＢリソースオーバーヘッドの割合であり、
0006979074.tif 000013
がフロア（Ｆｌｏｏｒ）処理である。
【００８７】
選択可能で、当該通信デバイス４００が端末デバイスであり、当該送受信機４２０は、さらに、ネットワークデバイスからの前記伝送パラメータを受信するように構成される。
【００８８】
選択可能で、当該通信デバイス４００がネットワークデバイスであり、当該送受信機４２０は、さらに、端末デバイスに前記伝送パラメータを送信するように構成される。
【００８９】
なお、本発明の実施例において、当該プロセッサ４１０が中央処理ユニット（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであっても良い。汎用プロセッサは、マイクロプロセッサー、いかなる通常のプロセッサー等であってもよい。
【００９０】
当該メモリ４３０が読み取り専用メモリ及びランダムアクセスメモリを含み、プロセッサー４１０に命令及びデータを提供する。メモリ４３０が不揮発性ランダムアクセスメモリを含む。例えば、メモリ４３０は、デイバスタイプの情報を記憶する。
【００９１】
本発明の実施例に開示された方法のステップは、プロセッサ４１０におけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリ４３０に位置し、プロセッサ４１０はメモリ４３０における情報を読み取り、そのハードウェアと組み合わせて上記方法のステップを完成する。
【００９２】
本願の実施例における通信デバイス４００は、上記の方法２００の方法２００を実行するための端末デバイス又はネットワークデバイス、本願の実施例における通信デバイス３００に対応し、当該通信デバイス４００の各ユニット又はモジュールは、方法２００の端末デバイス又はネットワークデバイスにより実行される各動作又は処理プロセスを実行し、簡潔のため、ここで説明を省略する。
【００９３】
図５は本願の実施例におけるシステムチップの構成図である。図５のシステムチップ５００は、入力インタフェース５０１、出力インタフェース５０２、少なくとも１つのプロセッサ５０３、メモリ５０４を含み、前記入力インタフェース５０１、出力インタフェース５０２、前記プロセッサ５０３及びメモリ５０４は、内部接続通路で接続される。前記プロセッサ５０３は、前記メモリ５０４内のコードを実行する。前記コードが実行される場合、前記プロセッサ５０３は、方法の実施例の端末デバイス及びネットワークデバイスにより実行される方法を実行する。簡潔のため、ここで説明を省略する。
【００９４】
なお、本発明の各実施例において、上記各過程の番号が実行順番の前後を意味しなく、各過程の実行順番は、その機能及び組み込み論理に決定され、本発明の実施例の実行過程を限定しない。
【００９５】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【００９６】
当業者は、簡潔にするために、上記のシステム、装置及びユニットの動作過程が上記の方法の実施例の過程を参照することができると理解すべきであり、ここで説明を省略する。
【００９７】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【００９８】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【００９９】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１００】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１０１】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
0006979074.tif 000016
【図２】
0006979074.tif 000017
【図３】
0006979074.tif 000018
【図４】
0006979074.tif 000019
【図５】
0006979074.tif 000020